【手続補正書】
【提出日】平成20年7月9日(2008.7.9)
【手続補正１】
【補正対象書類名】特許請求の範囲
【補正対象項目名】全文
【補正方法】変更
【補正の内容】
【特許請求の範囲】
【請求項１】
人が着用する全身安全ハーネスであって、
上胴部分と、下シート部分と、を有し、
上胴部分は、その第１側部に設けられた第１コネクタ及びその第２側部に設けられた第２コネクタによって、下シート部分に作動的に連結され、第１コネクタ及び第２コネクタは、下シート部分に対する上胴部分の回転を可能にし、
第１コネクタは、第１上連結部材と第１下連結部材とを有し、第１上連結部材は、第１下連結部材に回転可能に連結される、全身安全ハーネス。
【請求項２】
第１上連結部材及び第１下連結部材は、回転ジョイントによって連結される、請求項１に記載の全身安全ハーネス。
【請求項３】
第２コネクタは、第２上連結部材と第２下連結部材とを有し、第２上連結部材は、第２下連結部材に回転可能に連結される、請求項１に記載の全身安全ハーネス。
【請求項４】
第２上連結部材及び第２下連結部材は、回転ジョイントによって回転可能に連結される、請求項３に記載の全身安全ハーネス。
【請求項５】
上胴部分は、人の第１肩部の上を通る第１肩ストラップを有し、第１肩ストラップの第１端部は、人の前部にわたって延び且つ第１コネクタの第１上連結部材に連結され、第１肩ストラップの第２端部は、人の背部のわたって延び且つ第２コネクタの第２上連結部材に連結され、
上胴部分は、更に、人の第２肩部の上を通る第２肩ストラップを有し、第２肩ストラップの第１端部は、人の前部にわたって延び且つ第２コネクタの第２上連結部材に連結され、第２肩ストラップの第２端部は、人の背部のわたって延び且つ第１コネクタの第１上連結部材に連結され、
更に、第１コネクタの第１下連結部材に連結される第１脚ストラップと、第２コネクタの第２下連結部材に連結される第２脚ストラップと、を有し、
第１肩ストラップ及び第２肩ストラップの少なくとも一方は、その長さを調整するための調整機構を有し、
第１脚ストラップ及び第２脚ストラップの少なくとも一方は、その長さを調整するための調整機構を有する、請求項３に記載の全身安全ハーネス。
【請求項６】
第１肩ストラップは、その長さを調整するための第１肩ストラップ調整機構を有し、
第２肩ストラップは、その長さを調整するための第２肩ストラップ調整機構を有し、
第１脚ストラップは、その長さを調整するための第１脚ストラップ調整機構を有し、
第２脚ストラップは、その長さを調整するための第２脚ストラップ調整機構を有する、請求項５に記載の全身安全ハーネス。
【請求項７】
第１コネクタ及び第２コネクタは、下シート部分に対する上胴部分の回転を、下シート部分の張力を大きく増大させることなしに可能にする、請求項１に記載の全身安全ハーネス。
【請求項８】
第１コネクタは、人が全身安全ハーネスを着用したときに人の臀部の回転軸線の近傍の箇所を中心に回転するように配置され、
第２コネクタは、人が全身安全ハーネスを着用したときに人の臀部の回転軸線の近傍の箇所を中心に回転するように配置される、請求項１に記載の全身安全ハーネス。
【請求項９】
第１上連結部材は、第１シャフトによって第１下連結部材に連結され、第１上連結部材は、前記第１シャフトを中心に第１下連結部材に対して回転可能である、請求項３に記載の全身安全ハーネス。
【請求項１０】
第２上連結部材は、第２シャフトによって第２下連結部材に連結され、第２上連結部材は、前記第２シャフトを中心に第２下連結部材に対して回転可能である、請求項９に記載の全身安全ハーネス。
【請求項１１】
第１上連結部材は、ハーネスストラップに連結される少なくとも１つのアタッチメントを有し、第１下連結部材は、ハーネスストラップに連結される少なくとも１つのアタッチメントを有する、請求項１に記載の全身安全ハーネス。
【請求項１２】
第１上連結部材は、ハーネスストラップを取付けるための少なくとも２つのスロットを有し、第１下連結部材は、ハーネスストラップを取付けるための少なくとも２つのスロットを有する、請求項１に記載の全身安全ハーネス。
【請求項１３】
第１コネクタは、更に、その外面に取付けられるアクセサリコネクタを有し、それにより、アクセサリコネクタは、アクセサリを全身安全ハーネスに連結することを可能にする、請求項１に記載の全身安全ハーネス。
【請求項１４】
第１コネクタは、更に、その内面に取付けられるベルトコネクタを有し、それにより、ベルトコネクタは、全身安全ハーネスをベルトに連結することを可能にする、請求項１に記載の全身安全ハーネス。
【請求項１５】
前記ベルトは、アンカーアタッチメントを備えた安全位置決めベルトである、請求項１４に記載の全身安全ハーネス。
【請求項１６】
前記ベルトはツールベルトである、請求項１４に記載の全身安全ハーネス。
【請求項１７】
上胴部分は、人の第１肩部の上を通る第１肩ストラップを有し、第１肩ストラップの第１端部は、人の前部にわたって延び且つ第１コネクタに連結され、第１肩ストラップの第２端部は、人の背部にわたって延び且つ第２コネクタに連結され、
上胴部分は、更に、人の第２肩部の上を通る第２肩ストラップを有し、第２肩ストラップの第１端部は、人の前部にわたって延び且つ第２コネクタに連結され、第２肩ストラップの第２端部は、人の背部にわたって延び且つ第１コネクタに連結される、請求項７に記載の全身安全ハーネス。
【請求項１８】
第１肩ストラップ及び第２肩ストラップは、全身安全ハーネスの背部で互いに交差する、請求項１７に記載の全身安全ハーネス。
【請求項１９】
下胴部分は、第１コネクタに連結された第１脚ストラップと、第２コネクタに連結された第２脚ストラップと、を有する請求項１７に記載の全身安全ハーネス。
【請求項２０】
上胴部分は、人の第１肩部の上を通る第１肩ストラップを有し、第１肩ストラップの第１端部は、人の前部にわたって延び且つ第１コネクタに連結され、第１肩ストラップの第２端部は、人の背部にわたって延び且つ第２コネクタに連結され、
上胴部分は、更に、人の第２肩部の上を通る第２肩ストラップを有し、第２肩ストラップの第１端部は、人の前部にわたって延び且つ第２コネクタに連結され、第２肩ストラップの第２端部は、人の背部にわたって延び且つ第１コネクタに連結され
更に、第１コネクタに連結される第１脚ストラップと、第２コネクタに連結される第２脚ストラップと、を有し、
第１肩ストラップ及び第２肩ストラップの少なくとも一方は、その長さを調整するための調整機構を有し、
第１脚ストラップ及び第２脚ストラップの少なくとも一方は、その長さを調整するための調整機構を有する、請求項７に記載の全身安全ハーネス。
【請求項２１】
第１肩ストラップは、その長さを調整するための第１肩ストラップ調整機構を有し、
第２肩ストラップは、その長さを調整するための第２肩ストラップ調整機構を有し、
第１脚ストラップは、その長さを調整するための第１脚ストラップ調整機構を有し、
第２脚ストラップは、その長さを調整するための第２脚ストラップ調整機構を有する、請求項２０に記載の全身安全ハーネス。
【請求項２２】
更に、上胴部分又は下胴部分の少なくとも１つのストラップ部分の寸法適合性を調整するために、前記ストラップ部分と作動的に連結されたカムバックルを有する、請求項１に記載の全身安全ハーネス。
【請求項２３】
カムバックルは、ベースと、このベースに移動可能に且つ作動的に連結されたロック部材と、を有し、ロック部材は、前記ストラップと接触したりそれから離れたりするように移動可能な当接面を有する、請求項２２に記載の全身安全ハーネス。
【請求項２４】
ロック部材はベースに回転可能に取付けられ、前記当接面は前記ストラップに押圧される、請求項２３に記載の全身安全ハーネス。
【請求項２５】
ベースは、ストラップ支持体を有し、前記ストラップは、ストラップ支持体の上を通り、ロック部材の当接面は、前記ストラップの一部分の上の前記ストラップの第１表面に押圧され、前記ストラップの第１表面の反対側の第２表面は、ストラップ支持部材に接触する、請求項２４に記載の全身安全ハーネス。
【請求項２６】
ロック部材は、レバーアームを有し、ロック部材の当接面が前記ストラップから離れる解放位置にロック部材を移動させる力がレバーアームに付与される、請求項２５に記載の全身安全ハーネス。
【請求項２７】
カムバックルは、ロック部材を前記解放位置に移動させるために作動させなければならない作動機構を有する、請求項２６に記載の全身安全ハーネス。
【請求項２８】
更に、上胴部分又は下胴部分の少なくとも１つのストラップ部分に取付けられるコネクタを有し、このコネクタは、それを前記ストラップに取付けるための第１アタッチメント機構と、アイテムをコネクタに取付けるための第２アタッチメント機構と、を有する請求項１に記載の全身安全ハーネス。
【請求項２９】
更に、少なくとも１つのストラップ部分を有し、このストラップ部分は、全身安全ハーネスを着用したときに着用者に隣接した内面と、この内面とほぼ反対側の外面と、を有し、着用者が内面を外面に対して区別できるように、内面は、外面と識別可能に異なる、請求項１に記載の全身安全ハーネス。
【請求項３０】
更に、少なくとも１つのストラップ部分を有し、このストラップ部分は、第１端部を有し、この第１端部は、それと作動的に連結された端部材を有し、この端部材は、それを全身安全ハーネスの前記少なくとも１つのストラップ又は他のストラップに連結するための保持部材を有する、請求項１に記載の全身安全ハーネス。
【請求項３１】
人が着用する全身安全ハーネスであって、
上胴部分と、下シート部分と、を有し、
上胴部分は、少なくとも１つのコネクタによって、下シート部分に作動的に連結され、前記コネクタは、第１連結部材と、前記第１連結部材に回転可能に連結された第２連結部材とを有し、第１連結部材及び第２連結部材により、下シート部分に対する上胴部分の一定の位置範囲にわたる回転を可能にする、全身安全ハーネス。
【請求項３２】
人が着用する全身安全ハーネスであって、
上胴部分と、下シート部分と、を有し、
上胴部分は、全身安全ハーネスの第１側部に設けられた第１コネクタ及び全身安全ハーネスの第２側部に設けられた第２コネクタを介して下シート部分に着脱可能に連結される、全身安全ハーネス。
【請求項３３】
第１コネクタは、上胴部分の少なくとも１つのストラップが連結される第１上連結部材と、下胴部分の少なくとも１つのストラップが連結される第１下連結部材と、を有し、第１上連結部材と第１下連結部材とは、作動的に連結され、
第２コネクタは、上胴部分の少なくとも１つのストラップが連結される第２上連結部材と、下胴部分の少なくとも１つのストラップが連結される第２下連結部材と、を有し、第２上連結部材と第２下連結部材とは、作動的に連結される、請求項３２に記載の全身安全ハーネス。
【請求項３４】
第１上連結部材と第１下連結部材とは、第１上連結部材が第１下連結部材に対して軸線周りに回転できるように、作動的に連結され、
第２上連結部材と第２下連結部材とは、第２上連結部材が第２下連結部材に対して軸線周りに回転できるように、作動的に連結される、請求項３３に記載の全身安全ハーネス。
【請求項３５】
全身安全ハーネスの製造方法であって、
全身安全ハーネスの上胴部分を形成する段階と、
下シート部分を、上胴部分と別に形成する段階と、
全身安全ハーネスの第１側部に設けた第１コネクタ及び全身安全ハーネスの第２側部に設けた第２コネクタを介して、上胴部分を下シート部分に連結する段階と、を有し、
第１コネクタは、上胴部分の少なくとも１つのストラップが連結される第１上連結部材と、下シート部分の少なくとも１つのストラップが連結される第１下連結部材と、を有し、第１上連結部材と第１下連結部材とは作動的に連結され、
第２コネクタは、上胴部分の少なくとも１つのストラップが連結される第２上連結部材と、下シート部分の少なくとも１つのストラップが連結される第２下連結部材と、を有し、第２上連結部材と第２下連結部材とは作動的に連結される、製造方法。
【請求項３６】
更に、複数の上胴部分を、各々が別々の形状を有するように形成する段階と、
複数の上胴部分から、下シート部分に連結すべき１つの上胴部分を選択する段階と、を有する請求項３５に記載の製造方法。
【請求項３７】
更に、複数の下シート部分を、各々が別々の形状を有するように形成する段階と、
複数の下シート部分から、上胴部分に連結すべき１つの下シート部分を選択する段階と、を有する請求項３５に記載の製造方法。
【請求項３８】
人が着用する安全ハーネスであって、
少なくとも１つのストラップ部分を有し、このストラップ部分は、その寸法適合性を調整するために前記ストラップ部分に作動的に連結されたカムバックルを有する、安全ハーネス。
【請求項３９】
カムバックルは、ベースと、このベースに移動可能に且つ作動的に連結されたロック部材と、を有し、ロック部材は、前記ストラップと接触したりそれから離れたりするように移動可能な当接面を有する、請求項３８に記載の安全ハーネス。
【請求項４０】
ロック部材は、ベースに回転可能に取付けられ、前記当接面は、前記ストラップに押圧される、請求項３９に記載の安全ハーネス。
【請求項４１】
ベースは、ストラップ支持体を有し、前記ストラップは、ストラップ支持体の上を通り、ロック部材の当接面は、前記ストラップの一部分の上の前記ストラップの第１表面に押圧され、前記ストラップの第１表面の反対側の第２表面は、ストラップ支持部材に接触する、請求項４０に記載の安全ハーネス。
【請求項４２】
ロック部材は、レバーアームを有し、ロック部材の当接面が前記ストラップから離れる解放位置にロック部材を移動させる力がレバーアームに付与される、請求項４１に記載の安全ハーネス。
【請求項４３】
カムバックルは、ロック部材を前記解放位置に移動させるために作動させなければならない作動機構を有する、請求項４２に記載の安全ハーネス。
【請求項４４】
安全ハーネスのストラップとの連結のためのコネクタであって、
コネクタを前記ストラップに取付けるための第１アタッチメント機構と、アイテムをコネクタに取付けるための第２アタッチメント機構と、を有するコネクタ。
【請求項４５】
更に、ベースを有し、第１アタッチメント機構は、前記ベースに形成された１対のスロットを有する、請求項４４に記載のコネクタ。
【請求項４６】
更に、前記ベースに作動的に連結された蓋を有し、蓋が閉状態にあるとき、前記ベース及び蓋は、少なくとも１つのラベルを少なくとも部分的に包囲する、請求項４５に記載のコネクタ。
【請求項４７】
ストラップを有する安全ハーネスに連結して使用するラベルパックシステムであって、
ベースを有し、このベースは、それを安全ハーネスのストラップに取付けるためのアタッチメント機構を有し、
更に、ベースに作動的に連結された蓋を有し、前記ベース及び蓋は、蓋が閉状態にあるとき、少なくとも１つのラベルを少なくとも部分的に包囲する、ラベルパックシステム。
【請求項４８】
蓋は、ヒンジを有し且つヒンジを中心に閉状態及び開状態に回転可能であり、蓋が開状態にあるとき、少なくとも１つのラベルに接近可能である、請求項４７に記載のラベルパックシステム。
【請求項４９】
蓋は、解放可能なロック機構を有し、このロック機構は、蓋を閉状態に保持するように前記ベースと解放可能に協働する、請求項４８に記載のラベルパックシステム。
【請求項５０】
少なくとも１つのストラップ部分を有する安全ハーネスであって、
前記ストラップ部分は、第１端部を有し、この第１端部は、それと作動的に連結された端部材を有し、この端部材は、それを安全ハーネスの前記少なくとも１つのストラップ又は他のストラップに連結するための保持部材を有する、安全ハーネス。
【請求項５１】
前記保持部材は、前記他のストラップの周りに延びる延長アームを有する、請求項５０に記載の安全ハーネス。
【請求項５２】
前記延長部材は、それが前記他のストラップの周りに延びるとき、前記他のストラップに押圧される、請求項５１に記載の安全ハーネス。